(57)【要約】【課題】製造誤差による複数の器具本体の寸法が異なる場合であっても容易に連結して設けることができるとともに、アース接続も確実に得られる連結金具及び照明装置を提供する。【解決手段】本実施形態によれば、固定部２２と連結部２３との間に所定空間部２５が設けられていることにより、連結金具２を双方の器具本体５，５が容易に連結することができるので、製造誤差による不具合を解消することができる。また、器具本体５，５の寸法誤差の影響を受け難い個所で突起部２４によるアース接続を得るので、施工性を向上させつつも、アース接続を確実に得ることができる。【選択図】図６
2004206918.tif 000002
【特許請求の範囲】
【請求項１】
被取付面に隣り合うように直線状に配列され、器具本体の端部天面部に当接する連結金具主部と；  連結金具主部の両端両側に下方に向けて折り曲げられ器具本体端部に形成された取付孔に挿入される固定部と；
連結金具主部の両端に形成された固定部の間で連結金具主部の両側から下方に向けて折り曲げられた連結部と；
固定部と連結部との間であって、少なくとも器具本体の天面部と接触するように連結金具主部の端部から下方へ向けて設けられる突起部と；
固定部と連結部との間に配設される器具本体端部と連結部とが当接しないように設けられる所定空間部と；
を具備することを特徴とする連結金具。
【請求項２】
固定部は、先端側であって、連結金具主部から見て固定部とは異なる方向に突出するように設けられた仮固定部が設けられていることを特徴とする請求項１記載の連結金具。
【請求項３】
請求項１又は２記載の連結金具と；
連結金具が設けられることにより被取付面に隣り合うように直線状に配列される複数の器具本体と；
を具備することを特徴とする照明装置。
【発明の詳細な説明】
【０００１】
【発明の属する技術分野】
本発明は、複数の照明器具を連結する連結金具及び照明装置に関する。
【０００２】
【従来の技術】
従来、複数の照明器具を連結する連結金具は、特許文献１記載の構成が知られている。
【０００３】
この特許文献１記載の連結金具は、照明器具の器具本体同士を連結しアース接続を得るための連結金具で、長手方向の両端を略コ字状に折り曲げて器具本体の取付孔に挿入する固定部と、固定部の間に略コ字状に折り曲げた連結部とを備え、固定部と連結部の間に器具本体を圧入することで照明器具の直進性とアース接続を持たせるというものである。
【０００４】
【特許文献１】特開２０００−２１２２８号公報
【０００５】
【発明が解決しようとする課題】
通常器具本体のように金型等を用いて複数の同一製品を生産するものであると、常に同一の寸法のものを生産するということはむずかしく、製造誤差が生じてしまうことにより、各製品は若干寸法が異なることが殆どである。このことを考慮すると、連結金具であれば、器具本体の寸法の誤差を吸収しつつも施工性を損なわない構成が好ましいものである。
【０００６】
しかしながら、特許文献１記載の構成であると、連結金具に器具本体を圧入させるので、
寸法誤差を吸収し得る構成が形成しがたいとともに、圧入の加減で条件も大きく変わるものであるので、場合によっては寸法誤差により圧入できない場合もあり、施工性を低下させる虞があるものであった。
【０００７】
本発明は上記に鑑みたものであり、連結する複数の器具本体の寸法が製造誤差によって異なる場合であっても容易に設けることができるとともに、アース接続も確実に得られ、施工性も向上する連結金具及び照明装置を提供することを目的とする。
【０００８】
【課題を解決するための手段】
請求項１記載の連結金具によれば、被取付面に隣り合うように直線状に配列され、器具本体の端部天面部に当接する連結金具主部と；連結金具主部の両端両側に下方に向けて折り曲げられ器具本体端部に形成された取付孔に挿入される固定部と；連結金具主部の両端に形成された固定部の間で連結金具主部の両側から下方に向けて折り曲げられた連結部と；固定部と連結部との間であって、少なくとも器具本体の天面部と接触するように連結金具主部の端部から下方へ向けて設けられる突起部と；固定部と連結部との間に配設される器具本体端部と連結部とが当接しないように設けられる所定空間部と；を具備することを特徴とする。
【０００９】
本発明によれば、まず、一方の連結金具主部の端部に形成された固定部を一方の器具本体の端部に形成された取付孔に挿入する。この際、連結金具主部から突出する突起部が照明器具本体の天面部に当接することで天面部の一部と確実に接した状態で設置される。さらにこのとき、固定部と連結部との間に位置するように連結金具に設けられた器具本体の端部は、所定空間部により、対向する連結部とは当接ぜず、隙間を有するように設けられる。
【００１０】
そして、他方の連結金具主部の端部に形成された固定部を他方の器具本体の端部に形成された取付孔に挿入させて、上記と同様に作用させることで連結金具が隣り合う器具本体に設けられる。
【００１１】
請求項１の発明によれば、固定部と連結部との間であって、少なくとも器具本体の天面部と接触するように連結金具主部の端部から下方へ向けて設けられる突起部と、固定部と連結部との間に配設される器具本体端部と連結部とが当接しないように設けられる所定空間部とを具備することにより、連結する複数の器具本体の寸法が製造誤差によって異なる場合であっても連結金具を容易に設けることができるとともに、器具本体の寸法誤差の影響を受け難い個所でアース接続も確保することができるので、施工性を向上させることができつつ、アース接続も確実に得ることができる。
【００１２】
請求項２記載の連結金具は、請求項１記載の連結金具において、固定部は、先端側であって、連結金具主部から見て固定部とは異なる方向に突出するように設けられた仮固定部が設けられていることを特徴とする。
【００１３】
本発明によれば、請求項１記載の作用に加えて、一方の器具本体と連結金具とを設けた際に、固定部の先端に設けられた仮固定部が照明器具本体の被取付面とは反対面側の面に掛止することで一方の器具本体に連結金具が仮固定される。
【００１４】
請求項２の発明によれば、仮固定部が設けられていることにより、連結金具と器具本体とを設ける際の施工性がより向上するものとなる。
【００１５】
請求項３記載の照明装置は、請求項１又は２記載の連結金具と；連結金具が設けられることにより被取付面に隣り合うように直線状に配列される複数の器具本体と；を具備することを特徴とする。
【００１６】
請求項３の発明によれば、請求項１又は２記載の作用効果を奉する。
【００１７】
【発明の実施の形態】
本発明の第一実施形態を図面を参照して説明する。図１は第一実施形態の連結金具を示す説明図、図２は本実施形態の器具本体の要部を示す説明図、図３は本実施形態の連結金具を一方の器具本体に取付ける状態を示す説明図、図４は本実施形態の連結金具を一方の器具本体に取付けた状態を示す説明図、図５は本実施形態の連結金具を他方の器具本体に取付ける状態を示す説明図、図６は本実施形態の連結金具を他方の器具本体に取付けた状態を示す説明図、図７は本実施形態の照明器具を連結した状態を示す斜視図、図８は図７の連結部を示す要部拡大図である。
【００１８】
照明器具１の連結金具２は、図７に示すように、天井などの被取付面に直線状に配列される例えば逆富士形をした照明器具１，１同士を連結するものである。
【００１９】
照明器具１は、金属からなる器具本体５を有し、この器具本体５の下方を覆って取付けられる逆富士形をした反射体１１が設けられている。さらに、この器具本体５の両端に対向して取付けられ反射板１１から下方に向けて突出する一対のランプソケット１２，１２及びこれらランプソケット１２，１２間に着脱自在に取付けられる直管形蛍光ランプ１３とを具備するものである。
【００２０】
器具本体５は、図２（図２の（ａ）は上面図、（ｂ）は正面断面図）に示すように、天面部６と天面部６の両側から下方に向けて折り曲げられた一対の側面部７，７が構成されるとともに、天面部６の端部６１、６１の両側には略楕円形をなしピッチＰを有する一対の取付孔６２，６２がそれぞれ穿設されている。
【００２１】
ここで連結金具２について図面を参照して説明する。なお、図１の（ａ）は上面図であり、（ｂ）は正面図であり、（ｃ）は連結金具の突起部を示す拡大図である。
【００２２】
連結金具２は、図１に示すように、金属板材などの導電材から製造されるとともに、隣合う器具本体５，５に接する連結金具主部２１が設けられており、この連結金具主部２１の両端両側に下方に向けて折り曲げられ器具本体端部に形成した取付孔６１，６１に挿入する４隅に設けられた固定部２２，２２・・・が設けられている。さらに、連結金具主部２１の両端に形成された固定部２２，２２・・・の間で連結金具主部２１の両側から下方に向けて折り曲げられた一対の連結部２３，２３が設けられている。なお、固定部２２、２２・・・の幅方向のピッチは器具本体５に穿設された一対の取付孔６１，６１のピッチＰと同一寸法から形成している。また、固定部２２、２２・・・は、器具本体５の取付孔６１に挿入可能なように取付孔６１より少し小さな寸法で形成されている。
【００２３】
また連結金具２は、各固定部２２と連結部２３との間であって、連結金具主部２１の長手方向における端部２１ａ、２１ａから下方へ向けて４箇所に突起部２４、２４・・・が設けられており、各固定部２２と連結部２３との間に配設される後述の器具本体５の端部５１と連結部２３とが当接しないような寸法に設けられている所定空間部２５が設けられている。なお、突起部２４、２４・・・は、固定部２２と連結部２３との略中間に設けられているものである。
【００２４】
また連結金具２は、各固定部２２の先端側２２ａであって、連結金具主部２１から見て固定部２２とは異なる方向に突出するように設けられた仮固定部２６が設けられている。
【００２５】
また連結金具２は、各固定部２２の連結部２３と対向する面側であって、その下方に外側へ向けて傾斜した取付孔案内部２７が設けられるとともに、連結部２３には固定部２２と対向する面側であって、その下方に内側へ向けて傾斜した器具案内部２８が設けられている。なお、器具案内部２８は、傾斜角度が異なり、かつ、長さ寸法も異なるような第一器具案内部２８ａ、第二器具案内部２８ｂから構成されている。
【００２６】
また連結金具２は、連結部２３の中心から外れたところに中心が設けられており、かつ、角度を持った矩形状となるような固定具挿通孔２９が設けられている。
【００２７】
ここで本実施形態の作用について図３〜８を参照して説明する。
【００２８】
まず、図３に示すように、連結する２つの照明器具１，１のうちの一方の器具本体５に対して連結金具２を斜めにしながら仮固定部２６を取付孔６１に挿入する。そして、仮固定部２６が挿入されると、取付孔案内部２７に沿うように連結金具２を移動させる。すると連結金具２は、図４に示したように突起部２４が器具本体５の天面部６に当接し、かつ、天面部６と連結金具主部２１とが水平となるように設けられる。なお、器具本体５の端部５１と連結部２３とが当接しないような隙間２５ａが所定空間部２５により確保されている。
【００２９】
このように設けられた連結金具２は、仮固定部２６が器具本体５の天面部６とは反対面側の面６２に掛止することで一方の器具本体５に連結金具が仮固定される状態となる。したがって、この連結金具２が取付けられている状態で器具本体５を例えば天井等へ取り付ける。
【００３０】
次に、図５に示すように、連結する２つの照明器具１，１のうちの他方の器具本体５を連結金具２へ取り付ける。この場合、一方の照明器具５は天井に取付けられている状態であるので連結金具２を傾斜させることができない。したがって、他方の器具本体５の取付孔６１に仮固定部２６を挿入させたのち、取付孔案内部２７に沿うように器具本体５を上方へ移動させ、取付孔６１に固定部２２を挿入させる。これにより連結金具２は、突起部２４が器具本体５の天面部６に当接し、かつ、天面部６と連結金具主部２１とが水平となるように設けられ、照明器具１，１を連結した照明装置となる。なお、図６に示すように、一方の器具本体５の端部５１ａと連結部２３とが当接しないような隙間２５ｂが所定空間部２５により確保されている。
【００３１】
さらに本実施形態においては、図８に示したように、連結された器具本体５，５間に配線される電源線等の電線９が確実に連結金具２内を配線されるように、この電線９を固定する止め紐３０が固定具挿通孔２９を挿通して設けられる。
【００３２】
本実施形態によれば、固定部２２と連結部２３との間に所定空間部２５が設けられていることにより、連結する複数の器具本体５，５の寸法が製造誤差によって互いに異なる場合であっても連結金具２を双方の器具本体５，５へ容易に設けることができるので、製造誤差による不具合を解消することができる。
【００３３】
また、固定部２２と連結部２３との間であって、器具本体５，５の天面部６と接触するように突起部２４が設けられていることにより、器具本体５，５の寸法誤差の影響を受け難い個所でアース接続を確保することができるので、施工性を向上させつつも、アース接続を確実に得ることができる。
【００３４】
また、連結金具２は、器具本体５へ設けた際に、仮固定部２６により器具本体５に仮固定することができることにより、金属製の連結金具２を用いる照明器具１，１の連結作業であっても施工性が抑制されることがない。
【００３５】
また、連結金具２には、連結部２３の中心から外れ、かつ、角度を持った矩形状となるような固定具挿通孔２９が設けられていることにより、連結した際の各照明器具１，１の反射体１１に止め紐３０が干渉されることがないので、施工性及び外観を低下することがないとともに、固定部挿通孔２９を傾斜させることでその固定部挿通孔２９の寸法が大きく取れ、止め紐３０の寸法の制約が大きくなることを防ぐことができる。
【００３６】
また、連結金具２の突起部２４は、固定部２２と連結部２３との略中間に設けられているので、確実に天面部６と突起部２４とが接触する位置であるとともに、器具本体５に連結金具２を取付ける際に突起部２４が天面部６に干渉しすぎることによる作業性の低下を招く虞もなく、最適に取付作業でき、かつアース接続を確実に得ることができる。
【００３７】
なお、例えば天面部６の表面が塗料等で塗装されていたり、又は酸化により酸化膜が形成されていたとしても、突起部２４の先端が鋭角でもって形成されているので、天面部６の表面を削り取ることで器具本体５側の金属部分と連結金具２とが確実にアース接続を行うことができる。
【００３８】
次に第二実施形態について図面を参照して説明する。
【００３９】
図９は第二実施形態の連結金具を示す説明図であり、（ａ）は上面図、（ｂ）は正面図、（ｃ）は側面図である。なお、第一実施形態と同様なものについては同一の符号を付し、その説明は省略する。
【００４０】
連結金具２０は、図９に示すように、連結金具主部２１、この連結金具主部２１の両端両側に下方に向けて折り曲げられ４隅に設けられた固定部２２Ａ，２２Ａ・・・が設けられている。また、第一実施形態と同様に突起部２４及び所定空間部２５が設けられている。
【００４１】
また、一箇所の固定部２２Ａには、この固定部２２Ａの先端側を内側に折曲させている仮固定部２６Ａが設けられている。
【００４２】
本実施形態は、まず、仮固定部２６Ａが設けられている側の固定部２２Ａ、２２Ａを取付孔６１へ挿入して取付ける。なおこの際、仮固定部２６Ａが設けられていない方の固定部２２Ａを初めに取付孔６１へ挿入させ、その後に仮固定部２６Ａを取付孔６１へ挿入させることで一方の器具本体５への連結金具２０の取付が終了する。そして、その後は第一実施形態と略同様にすることで連結金具２０と照明器具１，１とが設けられた照明システムとなる。
【００４３】
本実施形態によれば、第一実施形態と略同様な効果を奉するとともに、より簡易的な構成の仮固定部としたので、連結金具２０の製造を容易とすることができる。
【００４４】
【発明の効果】
請求項１の発明によれば、被取付面に隣り合うように直線状に配列され、器具本体の端部天面部に当接する連結金具主部と；連結金具主部の両端両側に下方に向けて折り曲げられ器具本体端部に形成された取付孔に挿入される固定部と；連結金具主部の両端に形成された固定部の間で連結金具主部の両側から下方に向けて折り曲げられた連結部と；固定部と連結部との間であって、少なくとも器具本体の天面部と接触するように連結金具主部の端部から下方へ向けて設けられる突起部と；固定部と連結部との間に配設される器具本体端部と連結部とが当接しないように設けられる所定空間部と；を具備することにより、連結する複数の器具本体の寸法が製造誤差によって異なる場合であっても連結金具を容易に設けることができるとともに、器具本体の寸法誤差の影響を受け難い個所でアース接続も確保することができるので、施工性を向上させることができつつ、アース接続も確実に得ることができる。
【００４５】
請求項２記載の本発明によれば、固定部は、先端側であって、連結金具主部から見て固定部とは異なる方向に突出するように設けられた仮固定部が設けられていることにより、請求項１記載の効果に加えて、連結金具と器具本体とを設ける際の施工性がより向上するものとなる。
【００４６】
請求項３記載の発明によれば、請求項１又は２記載の効果を得る。
【図面の簡単な説明】
【図１】第一実施形態の連結金具を示す説明図
【図２】同上器具本体の要部を示す説明図
【図３】同上連結金具を一方の器具本体に取付ける状態を示す説明図
【図４】同上連結金具を一方の器具本体に取付けた状態を示す説明図
【図５】本実施形態の連結金具を他方の器具本体に取付ける状態を示す説明図
【図６】同上連結金具を他方の器具本体に取付けた状態を示す説明図
【図７】同上照明器具を連結した照明システムを示す斜視図
【図８】図７の連結部を示す要部拡大図
【図９】第二実施形態の連結金具を示す説明図
【符号の説明】
２、２０・・・連結金具、２１・・・連結金具主部、２２，２２Ａ・・・固定部、２３・・・連結部、２４・・・突起部、２５・・・所定空間部、２６，２６Ａ・・・仮固定部、５・・・器具本体
【図１】
2004206918.tif 000003
【図２】
2004206918.tif 000004
【図３】
2004206918.tif 000005
【図４】
2004206918.tif 000006
【図５】
2004206918.tif 000007
【図６】
2004206918.tif 000008
【図７】
2004206918.tif 000009
【図８】
2004206918.tif 000010
【図９】
2004206918.tif 000011